(57)【要約】【課題】ロータリノブと操作キーを用いてメニュー操作を行なう測定装置において、操作性を向上させる。【解決手段】回転型操作子と、操作キーとを備え、階層化されたメニュー構造にしたがって、回転型操作子の操作でメニューに表示されたアイテムの選択を受け付け、操作キーの操作で、選択状態にあるアイテムを確定する測定装置であって、操作対象となっているアクティブなメニューにおいて下位階層のメニューを有するアイテムが選択状態となると、下位階層のメニューを、非アクティブな状態で表示するメニュー処理部を備える。【選択図】図１
2011096046.tif 000002
【特許請求の範囲】
【請求項１】
回転型操作子と、操作キーとを備え、階層化されたメニュー構造にしたがって、前記回転型操作子の操作でメニューに表示されたアイテムの選択を受け付け、前記操作キーの操作で、選択状態にあるアイテムを確定する測定装置であって、
操作対象となっているアクティブなメニューにおいて下位階層のメニューを有するアイテムが選択状態となると、前記下位階層のメニューを、非アクティブな状態で表示するメニュー処理部を備えたことを特徴とする測定装置。
【請求項２】
前記メニュー処理部は、前記下位階層のメニューを有するアイテムが選択されている状態で、前記操作キーの操作を受け付けると、表示されている前記下位階層のメニューをアクティブ状態とすることを特徴とする請求項１に記載の測定装置。
【発明の詳細な説明】
【技術分野】
【０００１】
本発明は、測定装置に係り、特に、ロータリノブおよび操作キーでメニュー操作を行なう測定装置において操作性を向上させる技術に関する。
【背景技術】
【０００２】
波形測定装置、電力計、電圧電流発生装置等に代表される測定装置は、ユーザから測定や装置に関する設定等を受け付けるためのユーザインタフェースを備えている。近年では、操作性を高めるために、ＰＣ等で広く用いられているメニュー形式のＧＵＩ（Graphical User Interface）が、測定装置でも採用されるようになっている。メニュー形式のＧＵＩでは、階層化されたメニューを画面に表示し、ユーザからメニューアイテムの選択を受け付けることで、設定が行なえるようになっている。
【０００３】
ＰＣ等では、マウス等の柔軟性の高い操作用部品を用いてメニュー操作を行なうことができるのに対して、測定装置では、４方向カーソルキーや、外付けマウス等を備えた操作性の高い機種もあるが、これらを有さずにロータリノブや操作キーのみでメニュー操作を行なう機種も広く用いられている。
【０００４】
図２は、ロータリノブや操作キーのみで操作を受け付ける測定装置の筐体前面を示す図である。本図に示すように測定装置１０は、ユーザから操作を受け付ける操作用部品が配置された操作受付部１１０と、メニューや測定結果の表示を行なう表示部１２０とを備えている。
【０００５】
操作受付部１１０は、操作用部品として、回転型操作子であるロータリノブ１１１と、操作キーである、決定キー１１２、リセットキー１１３、ＥＳＣキー１１４、ファンクションキー群１１５とを含んでいる。ユーザは、ファンクションキー群１１５で設定を行なう項目のメニューを呼び出した後、ロータリノブ１１１でメニューに表示されたアイテムの選択を行ない、決定キー１１２でアイテムを確定し、ＥＳＣキー１１４で１つ前の操作をキャンセルすることができる。
【０００６】
図８は、ユーザからメニュー操作を受け付ける場合の手順例について説明する図である。図８（ａ）は、ファンクションキー群１１５の操作によって設定を行なう項目のメニューが呼び出された状態を示している。この状態で、決定キーを押すことで、設定する項目を確定することができる。
【０００７】
項目が決定されると、図８（ｂ）に示すように、アクティブメニューＡＭとして複数のアイテムを含んだメニューがアイテムの選択可能な状態で表示される。本例では、アイテム「ＣＨ１」がハイライト表示されていて選択状態にある。ここで、アクティブメニューは、操作対象となっていて、アイテムの選択を行なうことができ、さらに選択状態にあるアイテムの決定を行なうことができるメニューを意味する。
【０００８】
ユーザは、ロータリノブ１１１を操作することで、ハイライト表示されるアイテムを変更することができる。図８（ｃ）は、ロータリノブ１１１の操作によって「ＣＨ３」にハイライトが移った状態を示している。
【０００９】
この状態で、決定キー１１２を押すことで、ハイライト表示されたアイテムの選択を確定することができる。図８（ｄ）は、メニュー項目の設定内容が「ＣＨ１」から「ＣＨ３」に変更された結果を示している。
【先行技術文献】
【特許文献】
【００１０】
【特許文献１】特開２００９−１３９３２７号公報
【発明の概要】
【発明が解決しようとする課題】
【００１１】
図８に示した例のように、階層が浅いメニュー構造であればロータリノブや操作キーで操作を受け付ける場合でも不自由さはそれほど感じない。しかしながら、図９に示すようにメニュー階層が増えると、操作性が悪くなる場合がある。例えば、図９に示したようなメニュー構造において、「ＣＨ４」の下位メニューに含まれる「ＣＨ４−２」を設定する場合の手順例を、図１０を参照して説明する。
【００１２】
上記と同様に、図１０（ａ）に示すメニュー項目を呼び出し、決定キー１１２で確定すると、図１０（ｂ）に示すような４つのアイテムを含むメニューがアクティブメニューＡＭとして表示される。ここでは、下位メニューが存在する「ＣＨ２」と「ＣＨ４」については下位メニューが存在することを示す三角形のマークが付されている。
【００１３】
一般に、ユーザはメニュー構造を把握していないため、目的とするアイテム「ＣＨ４−２」を、メニューを表示させて探し出すことになる。このため、ロータリノブ１１１を操作して、図１０（ｃ）に示すように、まず「ＣＨ２」を選択して、決定キー１１２を押したとする。また、目的とするアイテム「ＣＨ４−２」が「ＣＨ４」の下位メニューであることを知りながら、誤って「ＣＨ２」を選択する場合も起こり得る。
【００１４】
すると、図１０（ｄ）に示すように、「ＣＨ２」の下位メニューがアクティブメニューＡＭとして表示される。この状態で、ユーザは目的とする「ＣＨ４−２」が「ＣＨ２」の下位メニューではないと判断することができる。そこで、ＥＳＣキー１１４を押して、図１０（ｅ）に示すように１階層メニューを上がり、再度ロータリノブ１１１を操作して、図１０（ｆ）に示すように、「ＣＨ４」を選択した状態で決定キー１１２を押す。
【００１５】
すると、図１０（ｇ）に示すように、「ＣＨ４」の下位メニューがアクティブメニューＡＭとして表示される。そこで、ロータリノブ１１１を操作して、図１０（ｈ）に示すように、目的とするアイテムである「ＣＨ４−２」を選択して、決定キー１１２を押すことで、図１０（ｉ）に示すように、メニュー項目を「ＣＨ４−２」に設定することができる。
【００１６】
このように、従来のメニュー表示方法は、目的とするアイテムを探し出すための操作回数が多くなる場合がある。マウス等のポインティングデバイスでメニューを操作する場合には、柔軟な操作が可能であるから操作回数が多くなっても、それほど使い勝手は悪くならないが、ロータリノブや操作キーを用いてメニューを操作する場合には、ロータリノブの回転や操作キーの押下を何度も行なわなければならず、操作性が悪化することになる。
【００１７】
そこで、本発明は、ロータリノブと操作キーを用いてメニュー操作を行なう測定装置において、操作性を向上させることを目的とする。
【課題を解決するための手段】
【００１８】
上記課題を解決するため、本発明の測定装置は、回転型操作子と、操作キーとを備え、階層化されたメニュー構造にしたがって、前記回転型操作子の操作でメニューに表示されたアイテムの選択を受け付け、前記操作キーの操作で、選択状態にあるアイテムを確定する測定装置であって、操作対象となっているアクティブなメニューにおいて下位階層のメニューを有するアイテムが選択状態となると、前記下位階層のメニューを、非アクティブな状態で表示するメニュー処理部を備えたことを特徴とする。
【００１９】
本発明の測定装置では、下位階層のメニューを有するアイテムが選択状態となると、アイテムを確定する前から、下位階層のメニューを非アクティブな状態で表示するようにしている。これにより、アイテムが確定してから下位階層のメニューを表示する従来方式に比べて、操作性が向上することになる。
【００２０】
ここで、操作キーは、実施形態の決定キーに相当するが、名称は限定されず、Ｓｅｔキー、Ｅｎｔｅｒキー、Ｒｅｔｕｒｎキー等であってもよい。
【００２１】
さらに、前記メニュー処理部は、前記下位階層のメニューを有するアイテムが選択されている状態で、前記操作キーの操作を受け付けると、表示されている前記下位階層のメニューをアクティブ状態とすることができる。
【発明の効果】
【００２２】
本発明によれば、ロータリノブと操作キーを用いてメニュー操作を行なう測定装置において、操作性を向上させることができる。
【図面の簡単な説明】
【００２３】
【図１】測定装置の機能構成を示すブロック図である。
【図２】ロータリノブや機能キーのみで操作を受け付ける測定装置の筐体前面を示す図である。
【図３】設定項目の選択を受け付けた場合におけるメニュー処理部の処理について説明するフローチャートである。
【図４】メニュー表示中にユーザからロータリノブの操作を受け付けた場合のメニュー処理部の処理について説明するフローチャートである。
【図５】アイテム選択中にユーザから決定キーの操作を受け付けた場合のメニュー処理部の処理について説明するフローチャートである。
【図６】メニュー処理部の処理の具体例を示す図である。
【図７】メニュー処理部の処理の具体例を示す図である。
【図８】ユーザからメニューの操作を受け付ける場合の手順例について説明する図である。
【図９】複数階層のメニュー構造例を示す図である。
【図１０】複数階層のメニュー構造でアイテムを選択する手順例について説明する図である。
【発明を実施するための形態】
【００２４】
本発明の実施の形態について図面を参照して説明する。図１は、本実施形態に係る測定装置の機能構成を示すブロック図である。本図に示すように、測定装置１０は、操作受付部１１０、表示部１２０、インタフェース制御部１３０、測定部１４０を備えている。なお、測定装置１０の筐体前面は、図２に示した従来と同様とすることができる。測定装置は、デジタルオシロスコープ等の波形測定装置、電力計、電圧電流発生装置等とすることができるが、これらに限られない。
【００２５】
操作受付部１１０は、ユーザから操作を受け付ける操作用部品を備えており、本実施形態では、回転型操作子であるロータリノブ１１１と、操作キーである、決定キー１１２、リセットキー１１３、ＥＳＣキー１１４、ファンクションキー群１１５とを備えている。ユーザは、ファンクションキー群１１５で設定を行なう項目のメニューを呼び出した後、ロータリノブ１１１でメニューに表示されたアイテムの選択を行ない、決定キー１１２でアイテムを確定し、ＥＳＣキー１１４で１つ前の操作をキャンセルすることができる。ただし、４方向カーソルやその他のキー等の操作用部品をさらに備えるようにしてもよい。
【００２６】
表示部１２０は、ＣＲＴ、液晶等の表示装置を用いて構成することができ、メニューや測定結果の表示を行なう。
【００２７】
インタフェース制御部１３０は、メニューや測定結果の表示部１２０への表示処理および操作受付部１１０が受け付けたユーザ操作に基づく処理等のユーザインタフェース制御を行なう。インタフェース制御部１３０は、あらかじめ定められたメニュー構造にしたがって、ユーザ操作に基づくメニュー処理を行なうメニュー処理部１３１を備えている。メニュー処理部１３１は、設定項目毎に、メニュー構造を記憶しており、ユーザによって選択された設定項目についてのメニュー構造を取得することができる。
【００２８】
メニュー構造は、階層化されており、１階層分のメニューには１または複数の選択可能なアイテムが含まれる。選択対象となっているアイテムはハイライト表示される。アイテムは、それ自身が設定内容の決定対象となるアイテムと、さらに下位のメニューを呼び出すためのアイテムとがある。それ自身が決定対象となるアイテムがユーザによって選択された場合には、そのアイテムが設定内容として決定され、さらに下位のメニューを呼び出すためのアイテムがユーザによって選択された場合には、下位のメニューがアクティブになり、そのメニューに含まれるアイテムが選択対象となる。
【００２９】
測定部１４０は、測定装置１０の機種に応じた各種測定を行なうための機能部である。測定装置１０が、例えば、デジタルオシロスコープであれば、波形入力部、デジタル処理部、解析部等が含まれる。
【００３０】
次に、上記構成の測定装置１０におけるメニュー処理部１３１の処理について説明する。まず、設定項目の選択を受け付けた場合の処理について図３のフローチャートを参照して説明する。
【００３１】
測定装置１０は、種々の項目、例えば、測定対象チャンネル設定、測定モード、測定内容等について、メニュー形式で設定を受け付けることができる。それぞれの項目は、例えば、ファンクションキー群１１５に割り当てられており、ユーザはファンクションキー群１１５を操作することで、設定項目を選択することができる。ただし、ファンクションキー群１１５の操作に限られず、他の操作によって設定項目の選択を受け付けるようにしてもよい。
【００３２】
ユーザから、設定項目の選択を受け付けると（Ｓ１０１）、メニュー処理部１３１は、その設定項目についてのメニュー構造を取得する（Ｓ１０２）。そして、最上位メニューを表示する（Ｓ１０３）。最上位メニューには、現在の設定内容が表示される場合もある。その後は、メニュー構造にしたがって、ユーザの操作に対応した下位メニューを表示していく。
【００３３】
次に、メニュー表示中にユーザからロータリノブ１１１の操作を受け付けた場合のメニュー処理部１３１の処理について図４のフローチャートを参照して説明する。
【００３４】
メニュー表示中にユーザからロータリノブ１１１の操作を受け付けると（Ｓ２０１）、回転方向に応じて選択対象となるアイテムを変更し、ハイライトを移動させる（Ｓ２０２）。そして、ハイライト表示されているアイテムに下位メニューがあるかどうかを判断する（Ｓ２０３）。
【００３５】
この結果、下位メニューがある場合には（Ｓ２０３：Ｙｅｓ）、下位メニューを併せて表示する（Ｓ２０４）。これにより、ユーザは、アイテムの選択を確定する前に、そのアイテムの下位メニューに含まれるアイテム内容を確認することができるようになるため、目的のアイテムを選択する際に、アイテムを探すためにメニュー階層を何度も上下したり、誤った下位メニューを選択してしまうことを防ぐことができる。したがって、操作性が向上することになる。
【００３６】
この場合、下位メニューはあくまでサブ的な表示を行なうだけであり、下位メニューに含まれるアイテムの選択は、この時点ではできないものとする。これは、ロータリノブ１１１と決定キー１１２とを用いた操作で、下位メニューのアイテムを直接選択できるようにすると、かえって操作が煩雑になるおそれがあるからである。
【００３７】
次に、アイテム選択中にユーザから決定キー１１２の操作を受け付けた場合のメニュー処理部１３１の処理について図５のフローチャートを参照して説明する。
【００３８】
メニューのアイテム選択中にユーザから決定キー１１２の操作を受け付けると（Ｓ３０１）、選択中のアイテムに下位メニューがあるかどうかを判断する（Ｓ３０２）。その結果、下位メニューがない場合（Ｓ３０２：Ｎｏ）には、選択対象となってハイライト表示されているアイテムを設定内容として決定する（Ｓ３０３）。
【００３９】
一方、下位メニューがある場合（Ｓ３０２：Ｙｅｓ）には、そのアイテムの下位メニューをアクティブ化して、下位メニューに含まれるアイテムを選択可能とする。なお、上述のように、下位メニューがある場合には、すでに下位メニューが、サブメニューとして表示されているため、決定キー１１２が操作されると、アクティブメニューが下位メニューに移動するだけの変化となる。
【００４０】
上記のメニュー処理部１３１の処理について、図６、図７に示した具体例を用いてさらに説明する。図６（ａ）は、ユーザから、設定項目の選択を受け付け、選択された設定項目の最上位メニューが表示されている例を示している。本例では、現在の設定内容である「ＣＨ１」が最上位メニューに表示されている。
【００４１】
最上位メニューで決定キー１１２の操作を受け付けると、設定項目として確定され、図６（ｃ）に示すように、選択可能なアイテムが示された下位メニューが表示される。本図の例では、初期状態として「ＣＨ１」が選択対象となっており、ハイライト表示されている。
【００４２】
ユーザは、ロータリノブ１１１を操作することで、選択対象を移動させることができる。図６（ｃ）は、ロータリノブ１１１の操作によって、選択対象となるアイテムが変更され、「ＣＨ２」がハイライト表示されている状態を示している。「ＣＨ２」には、下位メニューがあるため、下位メニューの内容がサブメニューＳＭとしてアクティブメニューＡＭの近傍に表示される。ユーザは、サブメニューによって、目的とするアイテム「ＣＨ４−２」が「ＣＨ２」の下位メニューには含まれていないことを容易に知ることができる。
【００４３】
このため、従来のように決定キー１１２で「ＣＨ２」を決定し、下位メニューのアイテムを表示させて、初めて目的とするアイテム「ＣＨ４−２」が「ＣＨ２」の下位メニューには含まれていないことを知り、ＥＳＣキー１１４で上位メニューに戻らなければならない手間を省くことができる。
【００４４】
さらに、ロータリノブ１１１を操作して、「ＣＨ４」にハイライトを移動すると、図６（ｄ）に示すように、「ＣＨ４」の下位メニューの内容がサブメニューＳＭとしてアクティブメニューＡＭの近傍に表示される。ユーザは、サブメニューによって、目的とするアイテム「ＣＨ４−２」が「ＣＨ４」の下位メニューに含まれていることを容易に知ることができる。
【００４５】
そこで、「ＣＨ４」が選択対象となっている状態で決定キー１１２を操作すると、サブメニューＳＭとして表示されていた「ＣＨ４」の下位メニューが、図７（ａ）に示すように、アクティブメニューＡＭとなって、アイテムの選択が可能となる。
【００４６】
そこで、ユーザは、ロータリノブ１１１を操作して、図７（ｂ）に示すように、目的とするアイテム「ＣＨ４−２」をハイライト表示させて選択対象とすることができる。この状態で、決定キー１１２を操作することで、図７（ｃ）に示すように、目的とするアイテム「ＣＨ４−２」を設定内容として決定することができる。
【００４７】
以上説明したように、本実施形態の測定装置１０は、下位メニューを有するアイテムが選択対象となると、選択を確定する前から、下位メニューをサブ的に表示するようにしている。これにより、選択が確定してから下位メニューを表示する従来方式に比べて、操作性が向上している。
【符号の説明】
【００４８】
１０…測定装置
１１０…操作受付部
１１１…ロータリノブ
１１２…決定キー
１１３…リセットキー
１１４…ＥＳＣキー
１１５…ファンクションキー群
１２０…表示部
１３０…インタフェース制御部
１３１…メニュー処理部
１４０…測定部
【図１】
2011096046.tif 000003
【図２】
2011096046.tif 000004
【図３】
2011096046.tif 000005
【図４】
2011096046.tif 000006
【図５】
2011096046.tif 000007
【図６】
2011096046.tif 000008
【図７】
2011096046.tif 000009
【図８】
2011096046.tif 000010
【図９】
2011096046.tif 000011
【図１０】
2011096046.tif 000012